(57)【要約】      （修正有）【課題】砂入り人工芝フィールドにおける局所的舗装部などとして利用できる舗装部であって、該舗装部に求められている機能を達成しつつ周囲の粉塵汚染を抑制できる舗装部を提供する。【解決手段】舗装砂２３を充填可能の空隙部を有する３次元構造体（例えば人工芝構造体）１２と、該３次元構造体１２に充填されるとともに該３次元構造体１２上に所定厚みｔ３（例えば１０ｍｍ）を呈する舗装砂１３とで舗装部１を構成し、該舗装砂１３は、ガーネットサンド、弾性ゴムチップ及び合成樹脂チップから選択された少なくとも１種からなる。【選択図】図１
2008255781.tif 000002
【特許請求の範囲】
【請求項１】
舗装砂を充填可能の空隙部を有する３次元構造体と、該３次元構造体に充填されるとともに該３次元構造体上に所定厚みを呈する舗装砂とを含んでおり、該舗装砂はガーネットサンド、弾性ゴムチップ及び合成樹脂チップから選択された少なくとも１種からなる舗装砂であることを特徴とする舗装部。
【請求項２】
前記３次元構造体は人工芝構造体、合成樹脂繊維を絡み合わせてなる３次元網目構造体、連続気泡性の合成樹脂発泡体及び繊維ウエブから選ばれた少なくとも１種である請求項１記載の舗装部。
【請求項３】
前記３次元構造体は通水性を有する請求項１又は２記載の舗装部。
【請求項４】
前記３次元構造体上の舗装砂の厚みは５〔mm〕以上である請求項１、２又は３記載の舗装部。
【発明の詳細な説明】
【技術分野】
【０００１】
本発明は砂入り人工芝フィールドにおける局所的舗装部、例えば砂入り人工芝フィールドを利用した野球場の内野ベース部における局所的舗装部などとして利用できる舗装部に関する。
【背景技術】
【０００２】
今日、砂入り人工芝を利用した各種スポーツ、行事等のためのフィールドが知られている。
【０００３】
砂入り人工芝を利用した野球場を例にとると、フィールドの略全体が砂入り人工芝で覆われているが、内野のベース領域は打者が滑り込む、守備者が走り込む等の運動に支障のないように、通常の土やアンツーカと称されている土などの土類で局所的に舗装されている。
【発明の開示】
【発明が解決しようとする課題】
【０００４】
しかしながら、かかる局所的舗装部における土類は、その周囲の人工芝部に充填されている砂よりも粒度が小さく、他の物に付着しやすい。従って、ベース領域の舗装部から舗装用の土類が、打者の滑り込み、走り込み、守備者の走り込み等の動作によって周囲の人工芝部に飛散したとき、これが周囲人工芝部の砂や人工芝本体に付着し、該人工芝部の固化を招いている。
【０００５】
また、舗装部の土類は粒度が小さいので、それに起因する粉塵が発生しやすく、これが周囲（例えば観客席）を汚染しやすいという問題もある。
【０００６】
かかる周囲人工芝部の固化、周囲の粉塵汚染といった問題は、人工芝利用の野球場に限らず、広く砂入り人工芝フィールドにおける局所的舗装部について生じ得る。
【０００７】
そこで本発明は、砂入り人工芝フィールドにおける局所的舗装部などとして利用できる舗装部であって、該舗装部に求められている機能を達成しつつ周囲の粉塵汚染を抑制できる舗装部を提供することを課題とする。
【課題を解決するための手段】
【０００８】
本発明は前記課題を解決するため、舗装砂を充填可能の空隙部を有する３次元構造体と、該３次元構造体に充填されるとともに該３次元構造体上に所定厚みを呈する舗装砂とを含んでおり、該舗装砂はガーネットサンド、弾性ゴムチップ及び合成樹脂チップから選択された少なくとも１種からなる舗装砂である舗装部を提供する。
【０００９】
前記舗装砂とは、（１）従来の砂入り人工芝フィールドにおける局所的舗装部で使用されている通常の土やアンツーカと称されている土のような土類に比べると粒度が大きく、粒度が大きい故に粉塵を発生しにくく、ひいては周囲の粉塵汚染を招きにくいもの、（２）従来の砂入り人工芝フィールドにおける局所的舗装部で使用されている土類に比べると比重が大きく、飛散しにくく、従って周囲の粉塵汚染を招きにくいもの、又は（３）かかる従来の土類に比べると粒度が大きく、且つ、高硬度及び（又は）比重が大きいものである。そして舗装部に求められている機能を発揮させ得るものである。
【００１０】
要するに前記舗装砂は土類に比べると粒度及び（又は）硬度比重が大きく、舗装部に求められている機能を発揮させ得る舗装砂である。
【００１１】
かかる舗装砂として、ガーネットサンド、弾性ゴムチップ及び合成樹脂チップから選択された少なくとも１種からなる舗装砂を例示できる。
【００１２】
前記ガーネットサンドとして粒度調整されたガーネットサンドを、前記弾性ゴムチップとして粒度調整された弾性ゴムチップを、前記合成樹脂チップとして粒度調整された合成樹脂チップを例示できる。
【００１３】
前記３次元構造体は飛散し得る舗装砂の量を少なく抑えて、しかも舗装部に適度の強度等を付与するために用いる。
【００１４】
３次元構造体としては、人工芝構造体、合成樹脂繊維を絡み合わせてなる３次元網目構造体、連続気泡性の合成樹脂発泡体及び繊維ウエブから選ばれた少なくとも１種からなるものを例示できる。これらは適度の弾性を有していてもよい。
【００１５】
前記合成樹脂繊維を絡み合わせてなる３次元網目構造体として、例えばゼオン株式会社製の、全体として弾性を有する３次元網目構造体（商品名  ゼオマット７０２０等）を挙げることができる。
【００１６】
前記３次元構造体は舗装部における水はけを良くするために通水性を有していてもよい。
【００１７】
３次元構造体上の舗装砂の厚みは、例えば本発明に係る舗装部を含めた砂入り人工芝フィールドにおいてなされる運動、行事等に応じた適当なものとすることができるが、例えば、概ね５〔mm〕以上、より好ましくは１０〔mm〕以上とすることができる。上限については概ね３０〔mm〕以下、より好ましくは２０〔mm〕以下を例示できる。この厚み値は本発明に係る舗装部が砂入り人工芝フィールド利用の野球場におけるベース部におけるものであるときに採用してもよい。
【００１８】
参考までに言えば、３次元構造体上の舗装砂の表面高さは、該舗装部を砂入り人工芝フィールドにおける局所的舗装部として利用する場合を例にとると、周囲の人工芝部における充填砂の表面高さと略同一にすることができる。本発明に係る舗装部を含めた砂入り人工芝フィールドにおいてなされる運動、行事等によっては、舗装砂表面高さを周囲の人工芝部充填砂の表面高さより高くすることも、低くすることもできる。
【発明の効果】
【００１９】
本発明によると、舗装部に求められている機能を達成しつつ周囲の粉塵汚染を抑制できる舗装部を提供することができる。
【発明を実施するための最良の形態】
【００２０】
以下図面を参照して本発明の実施の形態について説明する。
図１は舗装部の１例を砂入り人工芝フィールドにおける局所的舗装部として用いる場合の例の断面図である。
【００２１】
図２は該局所的舗装部に内蔵される人工芝構造体の断面図である。
【００２２】
図１において１は局所的舗装部であり、２はその周囲の人工芝部である。
【００２３】
図１に示す局所的舗装部１は砂入り人工芝フィールド利用の野球場における内野ベースＢ設置のためのものである。
【００２４】
人工芝部２はコンクリート基礎３の上に敷設されている。
【００２５】
コンクリート基礎３は、それには限定されないがここでは厚みＴ（４００〔mm〕）であり、局所的舗装部１に対応する部分が深さＤ（２００〔mm〕）の凹所３１に形成されており、該凹所の中央部には水抜き孔３２（内径ｄ＝１５０〔mm〕）が形成されている。
【００２６】
人工芝部２は、それには限定されないがここでは、シート基材２１に合成樹脂製の細幅、偏平なテープ乃至フィラメントからなるパイル糸を織り込んでパイルを形成し、これをカットしてカットパイル２２とし、さらにシート基材の裏面にバッキング材及びクッション材を設け、かかるカットパイル２２を人工芝本体とし、それらの間隙に粒度調整された砂２３を所定量充填したものである。カットパイル２２の頂部は充填砂２３の表面より２〜３〔mm〕突出している。
【００２７】
人工芝部２の前記コンクリート基礎凹所３１にはみ出した部分２０は該凹所を形成している下り斜面（内側面）３１１に沿って下方へ折り曲げられている。
【００２８】
人工芝部２は、それには限定さないがここでは、クッション材を含む全体の厚みｔ１が略３５〔mm〕であり、人工芝本体２２の高さｈ１は略２５〔mm〕である。
【００２９】
局所的舗装部１は、該人工芝部のはみ出し部分２０の上から凹所３１内に投入された砕石１１と、砕石層の上に敷設された３次元構造体の１例としての人工芝構造体１２と、該人工芝構造体の人工芝本体１２２の間隙に充填されるとともに該人工芝構造体を覆う舗装砂１３とを含んでいる。
【００３０】
砕石１１はコンクリート基礎における排水用の孔３２にも投入されている。
【００３１】
舗装砂１３はここでは人工芝部２で使用されている砂２３と同じものであるが、舗装砂１３として粒度調整されたガーネットサンド、粒度調整された弾性ゴムチップ、粒度調整された合成樹脂チップのうち少なくとも１種からなる舗装砂を採用することで、本発明に係る舗装部の１例が提供される。
【００３２】
人工芝構造体１２は、図２に示すように、それには限定されないがここでは、通水性を有するシート基材１２１に合成樹脂製の細幅、偏平なテープ乃至フィラメントからなるパイル糸を織り込んでパイルを形成し、これをカットパイルとして人工芝本体１２２とし、シート基材１２１の裏面にパイル抜け止め用の通水性を有するバッキング材１２３を設け、さらにバッキング材１２３の下面にクッション材シート１２４を貼着したものである。シート１２４には水抜き孔を分散形成してある。よってこの人工芝構造体１２は全体として通水性を有する。また、この人工芝構造体１２は全体として適度の弾性も有する。舗装砂１３は人工芝本体１２２の間隙に充填されている。
【００３３】
人工芝構造体１２は、それには限定されないがここでは、全体の厚みｔ２が略６０〔mm〕である。その上に舗装砂１３が厚さｔ３（約１０〔mm〕）で被さっている。
【００３４】
舗装砂１３の表面高さは周囲人工芝部２における充填砂の表面高さに略揃えられている。
【００３５】
以上説明した局所的舗装部１は、そこで使用されている舗装砂１３が周囲の人工芝部２で使用されている砂２３と同じく粒度調整された砂であり、従来局所的舗装部で用いられていた土類と比べると、粒度乃至粒径が大きく、他の物に付着しにくいものである。従って、打者がベースＢに滑り込む、走り込む等したり、守備者が該ベースＢに走り込む等して該舗装砂１３が周囲の人工芝部２に飛散しても、該人工芝部２に付着してそれを固化させるという恐れは少ない。
【００３６】
また、舗装砂１３は粒度乃至粒径が大きいので、それからの粉塵の発生が抑制され、それだけ周囲（例えば観客席）の汚染が抑制される。
既述のとおり舗装砂１３は、人工芝部２に使用されている砂２３に代えて、粒度調整されたガーネットサンド、粒度調整された弾性ゴムチップ、粒度調整された合成樹脂チップのうち少なくとも１種からなる舗装砂を採用することで、本発明に係る舗装部の１例を提供することができるが、その場合も、そのような舗装砂からの粉塵の発生が抑制され、それだけ周囲（例えば観客席）の汚染が抑制される。
【００３７】
また、砂２３を採用した局所的舗装部１や、舗装砂１３としてガーネットサンド等を採用した舗装部は３次元構造体としての人工芝構造体１２を内蔵しているので、これが舗装部に適度の強度を与える。さらに、該構造体１２には舗装砂が充填されているとともに該舗装砂が構造体１２上に適度の厚みｔ３を呈している。これらにより舗装部は、野球ベース設置の局所的舗装部等に求められる機能を発揮することができる。
【００３８】
以上、野球ベース設置のための局所的舗装部の例について説明したが、本発明は、広く砂入り人工芝フィールドにおける局所的舗装部などとして適用することができる。
【図面の簡単な説明】
【００３９】
【図１】本発明に係る舗装部の１例を砂入り人工芝フィールドにおける局所的舗装部として利用している例の断面図である。
【図２】舗装部に内蔵される人工芝構造体の例の断面図である。
【符号の説明】
【００４０】
Ｂ  ベース
１  舗装部
２  舗装部周囲の人工芝部
２１  シート基材
２２  カットパイル（人工芝本体）
２３  砂
２０  人工芝部２のはみ出した部分
ｔ１  人工芝部２の全体厚み
ｈ１  人工芝本体２２の高さ
３  コンクリート基礎
３１  凹所
３２  水抜き孔
３１１  凹所斜面
１１  砕石
１２  ３次元構造体の１例（人工芝構造体）
１２１  シート基材
１２２  人工芝本体
１２３  バッキング材
１２４  クッション材シート
１３  舗装砂
【図１】
2008255781.tif 000003
【図２】
2008255781.tif 000004